(57)【要約】  本発明は、荷電粒子ビーム（３）を集束させる荷電粒子レンズ（１；１０００）を有するビーム光学コンポーネントであって、荷電粒子レンズ（１；１０００）は、荷電粒子ビーム（３）を通過伝搬させることができる第１のスペースを画定する第１の開口部（７）を備えた第１の要素（５；１００５）と、荷電粒子ビーム（３）を通過伝搬させることができる第２のスペースを画定する第２の開口部（１１）を備えた第２の要素（９；１００９）と、第１の要素（５；１００５）及び第２の要素（９；１００９）のうちの少なくとも一方に結合されていて、第１の開口部（７）を第２の開口部（１１）に対して整列させる第１の駆動手段（１３）とを有する、ビーム光学コンポーネントに関する。第１の駆動手段により、第１の開口部（７）と第２の開口部（１１）をビーム操作中、互いに整列させてビーム光学コンポーネントの優れた位置合わせ（アライメント）を得ることができ、それにより良好なビーム集束が得られる。本発明は又、荷電粒子ビーム（３）を集束させるために上述のビーム光学コンポーネントを用いる荷電粒子ビーム装置及び第１の開口部（７）と第２の開口部（１１）を互いに対して整列させる方法に関する。【選択図】図５
2007519191.tif 000002
【特許請求の範囲】
【請求項１】
荷電粒子ビーム（３）を集束させる荷電粒子レンズ（１；１０００）を有するビーム光学コンポーネントであって、前記荷電粒子レンズ（１；１０００）は、
前記荷電粒子ビーム（３）を通過伝搬させることができる第１のスペースを画定する第１の開口部（７）を備えた第１の要素（５；１００５）と、
前記荷電粒子ビーム（３）を通過伝搬させることができる第２のスペースを画定する第２の開口部（１１）を備えた第２の要素（９；１００９）と、
前記第１の要素（５；１００５）及び前記第２の要素（９；１００９）のうちの少なくとも一方に結合されていて、前記第１の開口部（７）を前記第２の開口部（１１）に対して整列させる第１の駆動手段（１３）とを有する、ビーム光学コンポーネント。
【請求項２】
前記荷電粒子レンズ（１；１０００）は、前記荷電粒子ビーム（３）を集束させる第３の開口部（２７）を備えた第３の要素（２５）を有している、請求項１記載のビーム光学コンポーネント。
【請求項３】
前記第１、前記第２又は前記第３の開口部（７；１１；２７）の幾何学的形状は、それぞれの第１、第２又は第３の中心軸線（４７）を定める、請求項１又は２記載のビーム光学コンポーネント。
【請求項４】
前記第１の駆動手段（１３；１３ｘ；１３ｙ；１３ｚ）は、前記第１及び前記第２の中心軸線（４７）を共通の対称軸線（１５）に整列させることができる、請求項３記載のビーム光学コンポーネント。
【請求項５】
前記第１の駆動手段（１３；１３ｘ；１３ｙ；１３ｚ）は、同軸に又は平行に整列するよう前記第１と前記第２の要素（５；７）を整列させることができる、請求項１〜４のうちいずれか一に記載のビーム光学コンポーネント。
【請求項６】
前記荷電粒子レンズ（１；１０００）は、前記第２の要素（９）及び前記第３の要素（２５）のうち少なくとも一方に結合されていて、前記第２の開口部（１１）を前記第３の開口部（２７）に対して整列させる第２の駆動手段（４２）を有する、請求項１〜５のうちいずれか一に記載のビーム光学コンポーネント。
【請求項７】
前記第２の駆動手段（４２）は、前記第２及び前記第３の中心軸線（４７）を共通の対称軸線（１５）に整列させることができる、請求項６記載のビーム光学コンポーネント。
【請求項８】
荷電粒子ビーム源（６２）を有する、請求項１〜７のうちいずれか一に記載のビーム光学コンポーネント。
【請求項９】
前記荷電粒子ビーム源（６２）は、荷電粒子を真空中へ抽出する抽出電極（６０）を有する、請求項８記載のビーム光学コンポーネント。
【請求項１０】
前記第１、前記２及び前記第３の要素（５；９；２５）のうち少なくとも１つは、前記荷電粒子ビーム（３）を集束させる電極である、請求項１〜９のうちいずれか一に記載のビーム光学コンポーネント。
【請求項１１】
前記第３の電極（２５）は、抽出電極（６０）として役立つように位置決めされている、請求項２〜１０のうちいずれか一に記載のビーム光学コンポーネント。
【請求項１２】
前記第１、前記第２及び前記第３の要素（５；９；２５）のうち少なくとも一方は、前記荷電粒子ビーム（３）のビームアパーチュア（５０）として役立つように前記荷電粒子ビーム源（６２）に対して寸法決めされると共に位置決めされている、請求項８〜１１のうちいずれか一に記載のビーム光学コンポーネント。
【請求項１３】
前記第１及び前記第２の駆動手段（１３；１３ｘ，１３ｙ；１３ｚ；４２）のうち少なくとも一方は、前記それぞれの前記第１又は第２の要素（５；９）を該要素のそれぞれの前記第１又は前記第２の中心軸線（４７）に対して側方へ向いた第１の方向に動かすことができる、請求項１〜１２のうちいずれか一に記載のビーム光学コンポーネント。
【請求項１４】
前記第１及び前記第２の駆動手段（１３；４２）のうち少なくとも一方は、それぞれの前記第１又は前記第２の要素（５；９）をそれぞれの前記第１又は前記第２の中心軸線（４７）に対して垂直な、好ましくは、前記第１の方向に垂直な第２の方向に動かすことができる、請求項１〜１３のうちいずれか一に記載のビーム光学コンポーネント。
【請求項１５】
前記第１及び前記第２の駆動手段（１３；４２）のうち少なくとも一方は、それぞれの前記第１又は前記第２の要素（５；９）をそれぞれの前記第１又は前記第２の中心軸線（４７）の方向に動かすことができる、請求項１〜１４のうちいずれか一に記載のビーム光学コンポーネント。
【請求項１６】
前記第１及び前記第２の駆動手段（１３；４２）のうち少なくとも一方は、それぞれの前記第１又は前記第２の要素（５；９）を１０マイクロメートルよりも良好な、好ましくは１マイクロメートルよりも良好な、より好ましくは１００ｎｍよりも良好な空間分解能で動かすことができる、請求項１〜１５のうちいずれか一に記載のビーム光学コンポーネント。
【請求項１７】
前記荷電粒子レンズ（１；１０００）は、前記第２又は前記第３の開口部（１１；２７）に対するそれぞれの前記第１又は第２の開口部（７；１１）の実際の存在場所を測定する第１及び第２の測定手段（３０；７０）のうち少なくとも一方を有する、請求項１〜１６のうちいずれか一に記載のビーム光学コンポーネント。
【請求項１８】
前記荷電粒子レンズ（１；１０００）は、前記第１及び前記第２の測定手段（３０；３２）のうち少なくとも一方とそれぞれの前記第１又は前記第２の駆動手段（１３；４２）との間に設けられていて、前記第１又は前記第２の開口部（７；１１）の測定した存在場所に関する情報を前記第１又は前記第２の駆動手段（１３；４２）に送って前記実際の存在場所を所望の存在場所に調節するための電子接続部（３８ａ，３８ｂ，３８ｃ）を有する、請求項１〜１７のうちいずれか一に記載のビーム光学コンポーネント。
【請求項１９】
前記第１及び前記第２の駆動手段（１３；４２）のうち少なくとも一方は、遠隔制御可能である、請求項１〜１８のうちいずれか一に記載のビーム光学コンポーネント。
【請求項２０】
前記第１及び前記第２の駆動手段（１３；４２）のうち少なくとも一方は、高精度モータ駆動装置、ステッピングモータ、ＤＣモータ又は圧電モータから成る、請求項１〜１９のうちいずれか一に記載のビーム光学コンポーネント。
【請求項２１】
前記第１及び前記第２の電極（５；９）のうち少なくとも一方は、電気荷電粒子ビーム（３）を集束させる多数の開口部（７ａ，７ｂ，７ｃ）を有するよう形作られている、請求項１〜２０のうちいずれか一に記載のビーム光学コンポーネント。
【請求項２２】
前記第１及び前記第２の電極（５；９）のうち少なくとも一方は、軸方向における隣りの第２又は第３の電極（９；２５）の開口部（１１；２７）までの多数の開口部（７ａ；７ｂ；７ｃ）のうち少なくとも１つの距離が前記開口部（１１；２７）までの前記多数の開口部（７ａ；７ｂ；７ｃ）の他のもののうちの少なくとも一方の軸方向における距離と比較して、少なくとも１０パーセント長くなるように形作られると共に位置決めされている、請求項２１記載のビーム光学コンポーネント。
【請求項２３】
前記第１及び前記第２の電極（５；９）のうち少なくとも一方は、前記多数の開口部（７ａ；７ｂ；７ｃ）のうち少なくとも１つのリム（８；８ａ；８ｂ；８ｃ）の厚さが前記電極の前記他の多数の開口部（７ａ；７ｂ；７ｃ）のうち少なくとも１つのリム（８；８ａ；８ｂ；８ｃ）の厚さと比較して少なくとも２倍であるように形作られている、請求項２１又は２２記載のビーム光学コンポーネント。
【請求項２４】
前記第１又は前記第２の電極（５；９）の前記多数の開口部（７ａ；７ｂ；７ｃ；１１ａ；１１ｂ）のうち少なくとも２つは、本質的に同一の寸法を有する、請求項１〜２３のうちいずれか一に記載のビーム光学コンポーネント。
【請求項２５】
前記第１、前記第２及び前記第３の開口部（７；１１；２７）のうち少なくとも１つは、その中心軸線（４７）に関して回転対称である、請求項１〜２４のうちいずれか一に記載のビーム光学コンポーネント。
【請求項２６】
前記第１、前記第２及び前記第３の開口部（７；１１；２７）のうち少なくとも１つは、矩形の形状をしている、請求項１〜２５のうちいずれか一に記載のビーム光学コンポーネント。
【請求項２７】
前記荷電粒子レンズ（１；１０００）は、前記第２の要素（９）と前記第３の要素（２５）との間に設けられていて、前記第２の要素（９）と前記第３の要素（２５）との間に最小距離をもたらす少なくとも１つのディスタンスピース（４０）を有する、請求項２〜２６のうちいずれか一に記載のビーム光学コンポーネント。
【請求項２８】
前記荷電粒子レンズ（１；１０００）は、前記第２の要素（９）を前記少なくとも１つのディスタンスピース（４０）に当接させる少なくとも１つのホールディングピース（５３；５７）を有し、前記第１のホールディングピースは、前記少なくとも１つのディスタンスピースに取り付けられている、請求項２７記載のビーム光学コンポーネント。
【請求項２９】
前記ディスタンスピース（４０）は、球形である、請求項２７又は２８記載のビーム光学コンポーネント。
【請求項３０】
前記第１又は前記第２の駆動手段（１３；４２）は、前記第１、前記第２及び前記第３の電極（５，９，２５）のうち少なくとも２つに連結されている、請求項２〜２９のうちいずれか一に記載のビーム光学コンポーネント。
【請求項３１】
前記荷電粒子レンズ（１；１０００）は、各々が前記荷電粒子ビーム（３）を集束させる開口部を備えた４つ以上の要素を有する、請求項２〜３０のうちいずれか一に記載のビーム光学コンポーネント。
【請求項３２】
前記荷電粒子レンズ（１；１０００）は、前記第３の要素又は前記４つ以上の要素のうちの１つに連結された３つ以上の駆動手段を有する、請求項６〜３１のうちいずれか一に記載のビーム光学コンポーネント。
【請求項３３】
前記第１及び前記第２の開口部（７，１１）のうち少なくとも一方は、寸法が前記第３の開口部（２７）の１／２倍、好ましくは１／１０倍、より好ましくは１／５０倍である、請求項６〜３２のうちいずれか一に記載のビーム光学コンポーネント。
【請求項３４】
荷電粒子ビームを試料（１７）上に集束させる荷電粒子ビーム装置であって、請求項１〜３３のうちいずれか一に記載のビーム光学コンポーネント（１；１０００）を有する、荷電粒子ビーム装置。
【請求項３５】
前記試料（１７）を検査し又は構造観察するために前記試料（１７）を保持する試料ホルダ（１９）と、前記試料（１７）を検査し又は構造観察するために前記荷電粒子ビームの開口角を制限するビームアパーチュアとを更に有する、請求項３４記載の荷電粒子ビーム装置。
【請求項３６】
前記ビーム光学コンポーネント（１；１０００）は、前記荷電粒子ビーム（３）を前記試料（１７）上に集束させるよう前記試料ホルダ（１９）と前記ビームアパーチュアとの間に位置決めされている、請求項３４又は３５記載の荷電粒子ビーム装置。
【請求項３７】
対物レンズ及び荷電粒子ビーム源を有する、請求項３４〜３６のうちいずれか一に記載の荷電粒子ビーム装置。
【請求項３８】
前記ビーム光学コンポーネントは、前記対物レンズと前記荷電粒子ビーム源との間に位置決めされている、請求項３４〜３７のうちいずれか一に記載の荷電粒子ビーム装置。
【請求項３９】
荷電粒子ビーム（３）を試料（１７）上に集束させるために第１の要素（５）の第１の開口部（７）を第２の要素（９）の第２の開口部（１１）に対して整列させる方法であって、
ａ）請求項１〜３３のうちいずれか一に記載のビーム光学コンポーネントを用意するステップと、
ｂ）第１の組をなす電圧が、前記ビーム光学コンポーネントの前記第１の要素（５）及び前記第２の要素（９）に印加された状態で、前記荷電粒子ビーム（３）を前記試料（１７）全体にわたって走査して前記試料（１７）の第１の像を生じさせるステップと、
ｃ）第２の組をなす電圧が前記ビーム光学コンポーネントの前記第１の要素（５）及び前記第２の要素（９）のうち少なくとも一方に印加された状態で、前記荷電粒子ビーム（３）を前記試料（１７）全体にわたり走査して前記試料（１７）の第２の像を生じさせるステップと、
ｄ）前記第１の要素（５）を前記第２の要素（９）に対して動かすステップと、
ｅ）前記ステップｃ）、前記ステップｄ）及び前記ステップｅ）を繰り返し実施し、ついには前記第１の像中に識別された前記試料（１７）の少なくとも１つの構造要素が前記第２の像中で識別されるようにするステップとを有する、方法。
【請求項４０】
前記第２の要素（９）を第３の要素（２５）に対して動かし、ついには前記第１の像中に識別された前記試料（１７）の少なくとも１つの構造要素が前記第２の像中に識別されるようにするステップを有する、請求項３９記載の方法。
【請求項４１】
前記第１の組をなす電圧と前記第２の組をなす電圧は、前記第１、前記第２及び前記第３の要素のうち少なくとも１つに関して同一である、請求項３９又は４０記載の方法。
【請求項４２】
前記第１、前記第２及び前記第３の要素（５；９；２５）のうち少なくとも１つは、電極である、請求項３１〜４１のうちいずれか一に記載の方法。
【請求項４３】
荷電粒子ビーム（３）は、請求項３４〜３８のうちいずれか一に記載の荷電粒子ビーム装置によって生じる、請求項３９〜４２のうちいずれか一に記載の方法。
【発明の詳細な説明】
【技術分野】
【０００１】
本発明は、荷電粒子ビームを集束させる荷電粒子レンズを備えたビーム光学コンポーネントに関する。本発明は又、このビーム光学コンポーネントを含む荷電粒子ビーム装置及びこのビーム光学コンポーネントを位置合わせ（アライメント）する方法に関する。
【背景技術】
【０００２】
電子顕微鏡、電子又はイオンビーム検査又はパターン生成又は発生ツール、例えば、集束イオンビーム装置（ＦＩＢ）のような荷電粒子ビーム装置を改良できるかどうかは、これらのビーム光学コンポーネントを更に改良できるかどうかにかかっている。例えば、ビーム光学コンポーネントは、静電又は磁気荷電粒子レンズ、デフレクタ、ビームアパーチュア、荷電粒子ビーム源等を含む。
【０００３】
荷電粒子レンズは、試料を検査し又は構造観察（structure）する際に可能な限り最も高い空間分解能を得る上での前提条件である可能な限り最も小さいサイズのフォーカススポットを得るために、高い機械的精度を必要とする。高精度集束荷電粒子ビームは、電子顕微鏡、半導体業界におけるリソグラフィープロセス用のパターン生成器又は集束イオンビーム装置（ＦＩＢ）のような荷電粒子ビーム装置に用いられている。
【０００４】
荷電粒子レンズは通常、荷電粒子ビームを集束させるために静電場又は磁場を用いている。静電場を備えた荷電粒子レンズは通常、各々が荷電粒子ビームを通過させることができる開口部を備えた２つ又は３つ以上の電極で構成されている。適当な電圧をそれぞれの電極に印加することにより、電極の幾何学的形状及び電位は、到来する荷電粒子ビームを集束させるために用いることができる静電場を生じさせる。
【０００５】
これとは対照的に、磁場を備えた荷電粒子レンズは、荷電粒子ビームを通過させることができる開口部を備えた２つの磁極片で構成されている。適当な磁束をそれぞれの磁極片に与えることにより、磁極片の幾何学的形状及び磁束は、到来する荷電粒子ビームを集束させるために用いることができる磁場を決定する。
【０００６】
高い集束品質を得るためには、多数の電極又は磁極片の開口部を互いに良好に整列させると共に荷電粒子ビーム軸線に対して良好に整列させることが重要である。例えば、サイズが１００ｎｍよりも小さい電子又はイオンビームフォーカス（焦点）を得るためには、電極（又はポールシュー又は磁極片）の開口部をマイクロメートル規模の精度で互いに整列させる必要がある。さらに、開口部が小さければ小さいほどそれだけ一層、位置合わせ（アライメント）の公差が厳しくなる。
【０００７】
高い位置合わせ精度を備えた荷電粒子レンズを製造する方法が、例えば、エス・プランク（S. Planck）及びアール・スペア（R. Spehr）の論文，『コンストラクション・アンド・ファブリケーション・オブ・エレクトロスタティック・フィールド・レンジズ・フォー・ザ・スマート・プロジェクト（Construction and Fabrication of electrostatic field lenses for the SMART project）』，「“リッヒト−・ウント・テイルシェノプティク”・インスティト・フューア・アンゲバンドテ・フィジクス，テクニーシェ・ウンベルシタット・ダルムシュタット，プロフェッソァ・ドクトル・テオ・チューディ（“Licht- und Teilchenoptik”，Institut fur angewandte physik, Technische Universitat Darmstadt, Prof. Dr. Theo Tschudi）」の年報１９９６／１９９７，第１１４頁に開示されている。このエス・プランク及びアール・スペア論文は、電極の開口部を互いに対して位置決めするために電極相互間に絶縁高精度球体を用いている。
【０００８】
【非特許文献１】エス・プランク（S. Planck）及びアール・スペア（R. Spehr）の論文，『コンストラクション・アンド・ファブリケーション・オブ・エレクトロスタティック・フィールド・レンジズ・フォー・ザ・スマート・プロジェクト（Construction and Fabrication of electrostatic field lenses for the SMART project）』，「“リッヒト−・ウント・テイルシェノプティク”・インスティト・フューア・アンゲバンドテ・フィジクス，テクニーシェ・ウンベルシタット・ダルムシュタット，プロフェッソァ・ドクトル・テオ・チューディ（“Licht- und Teilchenoptik”，Institut fur angewandte physik, Technische Universitat Darmstadt, Prof. Dr. Theo Tschudi）」の年報１９９６／１９９７，第１１４頁
【発明の開示】
【発明が解決しようとする課題】
【０００９】
しかしながら、荷電粒子ビームの集束におけるそれ以上の技術的進歩を得るためには、互いに対する且つ荷電粒子ビームに対する開口部の位置合わせは、十分ではない場合が多い。
【００１０】
したがって、本発明の第１の特徴は、荷電粒子ビームを顕著に集束させることができるビーム光学コンポーネントを提供することにある。
【００１１】
本発明の別の特徴は、空間分解能を向上させるためにビーム光学コンポーネントの要素の位置合わせ不良（ミスアライメント）に起因するビーム光学収差を減少させるビーム光学コンポーネントを提供することにある。
【００１２】
本発明の更に別の特徴は、ビーム光学コンポーネントの容易且つ正確な位置合わせを容易にする方法を提供することにある。
【００１３】
本発明の別の目的は、可能な限り最も高い空間分解能で試料を検査し又は構造観察することができ、それと同時に、種々の用途について高い融通性をもたらす荷電粒子ビーム装置を提供することにある。
【課題を解決するための手段】
【００１４】
上記利点及び他の利点は、請求項１記載のビーム光学コンポーネント、請求項３４記載の荷電粒子ビーム装置及び請求項３９記載の方法によって達成される。
【００１５】
本発明の別の利点、特徴、観点及び細部は、従属形式の請求項、明細書及び添付の図面から明らかである。特許請求の範囲は、本発明を一般的な用語で特定する第１の非限定的なやり方として理解されることを意図している。
【００１６】
請求項１記載のビーム光学コンポーネントは、荷電粒子レンズを有し、この荷電粒子レンズは、第１の開口部を備えた第１の要素と、第２の開口部を備えた第２の要素と、第１の要素及び第２の要素のうち少なくとも一方に結合されていて、第１の開口部を第２の開口部に対して整列させる第１の駆動手段とを有する。
【００１７】
第１の駆動手段を用いると、荷電粒子ビームの検査又は構造観察作業中に第１の開口部を第２の開口部に対して整列させることができる。また、荷電粒子ビームの検査又は構造観察作業中、第１の開口部及び第２の開口部のうち少なくとも一方を共通の対称軸線に整列させることができる。このようにすると、位置合わせを荷電粒子ビームにより得られた試料の像に対する位置合わせ調整の効果を観察しながら実施できる。かかる整列は、レンズの製造中、開口部の位置が固定される荷電粒子レンズの位置合わせよりも非常に高くすることができる精度に合わせて繰り返し実施できる。さらに、第１の駆動手段を用いると、ビーム光学コンポーネントの製作の際に避けられない荷電粒子レンズの幾何学的不正確さを補償することができる。
【００１８】
位置合わせの向上により、ビームの収差によるディストーションが減少する。さらに、位置合わせ精度が高ければ高いほどそれだけ一層所与の位置合わせ誤差の見積りで得ることができる電極の開口部がそれだけ一層小さくなる。さらに、優れた位置合わせ精度は、小さな第１、第２及び（又は）第３の開口部を用いてこれらのうち少なくとも１つをビームアパーチュアとして使用することができるようにする可能性を開く。このようにすると、追加のビームアパーチュア要素を省くことができ、それにより荷電粒子ビームの操作が単純化される。
【００１９】
本発明の第１の好ましい実施形態では、第１及び（又は）第２の要素は、それぞれ第１及び（又は）第２の磁極片である。この場合、荷電粒子レンズは、荷電粒子ビームを磁場によって集束させる。
【００２０】
本発明の第２の好ましい実施形態では、第１及び（又は）第２の要素は、それぞれ第１及び（又は）第２の電極である。この場合、荷電粒子レンズは、荷電粒子ビームを静電場によって集束させる。さらに、この場合、ビーム光学コンポーネントの荷電粒子レンズは、荷電粒子ビームを集束させる第３の開口部を備えた第３の要素を有するのが好ましい。このようにすると、ビーム光学コンポーネントは、レンズの外部の領域の妨害電場を最小限に抑えるアインゼルレンズ（Einzel-lens）として使用できる。
【００２１】
アインゼルレンズは、３つの電極を有することを特徴とし、この場合、外側の２つの電極は、同一電圧状態にある（Ｖ１＝Ｖ３）。この場合、アインゼルレンズの集束特性は、第２の電圧Ｖ２の状態にある中間電極とそれぞれ第１の電圧Ｖ１及び第３の電圧Ｖ３の状態にある外側の２つの電極との電圧差によって定められる。差Ｖ２−Ｖ３が正であれば、アインゼルレンズは、例えば電子で作られた到来する負に帯電している粒子ビームを加速する。この場合、アインゼルレンズは、アクセルレンズ（Accel-lens）とも呼ばれる。差Ｖ２−Ｖ３が負であれば、アインゼルレンズは、電子で作られている到来する負に帯電している粒子ビームを減速する。この場合、アインゼルレンズは、デセルレンズ（Decel-lens）とも呼ばれる。しかしながら、本願の発明は、外側の２つの電極の第１の電圧Ｖ１と第３の電圧Ｖ３が同一ではない荷電粒子レンズにも当てはまる。この場合、荷電粒子レンズは、浸漬レンズ（immersion-lens）と呼ばれている。
【００２２】
好ましくは、ビーム光学コンポーネントは、第１及び第２の要素を共通の対称軸線に整列させることができる。この場合、例えば、第１の駆動手段は、第１の要素を第２の要素に対して、第１の要素が第２の要素に平行であり、且つ第１の開口部が第２の開口部と同一の対称軸線を持つ箇所まで動かすことができるのがよい。かかる位置合わせにより、荷電粒子ビームの集束品質が向上する。好ましくは、第１、第２及び（又は）第３の電極の位置合わせは、第１、第２及び（又は）第３の電極を互いに平行するよう移動させることを含む。
【００２３】
さらに好ましい実施形態では、荷電粒子レンズは、第２の要素及び第３の要素のうち少なくとも一方に結合されていて、第２の開口部を第３の開口部に対して整列させる第２の駆動手段を有する。この場合、第１、第２及び第３の要素を最良の集束の可能性が得られるよう互いに独立に現場で位置合わせするのがよい。
【００２４】
好ましくは、ビーム光学コンポーネントは、荷電粒子ビーム源を含む。この場合、第１、第２及び第３の要素のうちの１つを抽出電極として役立たせるよう位置決めするのがよい。かかる設計により別個の抽出電極が使われなくなるので、互いに対して位置合わせされる必要のある電極の個数が減少する。さらに、第１及び（又は）第２の駆動手段を用いると、第１、第２及び（又は）第３の電極の開口部を荷電粒子ビーム源に対して現場で位置合わせすることができる。このようにすると、位置合わせ誤差を始めから無くすことができる。
【００２５】
さらに好ましい実施形態では、第１、第２及び（又は）第３の要素のうち少なくとも一方は、荷電粒子ビームのビームアパーチュアとして役立つように荷電粒子ビーム源に対して寸法決めされると共に位置決めされている。この場合、第１及び（又は）第２の駆動手段を用いてビームアパーチュアと荷電粒子レンズの両方を一度に位置合わせすることができる。これにより、位置合わせされる必要のある要素の個数が一段と減少し、それにより位置合わせ不良に起因するビーム光学欠陥が一段と減少する。さらに、第１、第２及び（又は）第３の要素が荷電粒子ビーム源の近くでビームアパーチュアとして作用する状態では、荷電粒子ビームの電流を高い電流密度に起因するビームの広がりを減少させるのに役立つ所要の電流に早期に調節することができる（ボーエルシェ効果（Boersch-Effect）。
【００２６】
荷電粒子レンズは、第２及び（又は）第３の開口部に対する第１及び（又は）第２の開口部のそれぞれの存在場所を測定する第１、第２及び（又は）第３の測定手段を有することが更に好ましい。このようにすることにより、第１及び（又は）第２の測定手段の測定した存在場所についての情報をそれぞれの第１及び（又は）第２の駆動手段に送り戻すことにより、第１、第２及び（又は）第３の要素を互いに対して位置合わせする精度を劇的に向上させることができる。
【００２７】
一実施形態では、第１、第２及び（又は）第３の開口部は、回転対称、即ち、円形である。この場合、ビーム光学コンポーネントは、丸レンズとして働く。
【００２８】
別の実施形態では、第１、第２及び（又は）第３の開口部は、矩形である。この場合、ビーム光学コンポーネントは、シリンダーレンズとして働く。
【００２９】
本発明の他の実施形態によれば、第１、第２及び（又は）第３の要素のうち少なくとも１つは、少なくとも２つの開口部を有する。この場合、第１及び（又は）第２の駆動手段を用いると、所与の要素の一開口部に代えて現場で同一要素の別の開口部を用いることができる。２つの開口部が互いに異なる寸法又は幾何学的形状を有している場合、開口部の交換を利用することにより別のビームアパーチュア及び（又は）別の集束レンズを提供することができる。したがって、第１、第２及び（又は）第３の要素のうちの少なくとも１つに多数の開口部を設けることにより、所与の用途の要望に応じて、ビーム光学コンポーネントの光学挙動を現場で調節する可能性が開かれる。当然のことながら、荷電粒子レンズの第３の電極又は４つ以上の電極のうちの１つが少なくとも２つの開口部を有することも又可能である。このようにすると、第１、第２及び第３の電極の種々の開口部を自由に組み合わせて大きな組をなす種々のビーム光学レンズ及び開口角を得ることが可能である。
【００３０】
例えば、所与の第１又は第２の要素の小さな開口部に代えて大きな開口部を用いると、ビーム電流を増大させるが空間分解能を減少させることができる。他方、所与の第１又は第２の要素の大きな開口部に代えて小さな開口部を用いると、ビーム電流を減少させるが、空間分解能を増大させると共に（或いは）集束状態を変化させることができる。
【００３１】
さらに、第１、第２及び（又は）第３の電極のうちの少なくとも１つの多数の開口部のうちの少なくとも２つの開口部が、同一の寸法及び幾何学的形状を有することが好ましい。このようにすると、ビームアパーチュアとして働いている間に荷電粒子ビームへの過度の暴露に起因して変形した開口部を、ビーム光学系を変更しないで、同一寸法及び幾何学的形状の別の開口部で現場において置き換えることができる。この方法により、時間を節約する現場ビームアパーチュア交換が効果的に可能になる。というのは、交換のために真空を破る必要がないからである。当然のことながら、電極に設けられる同一寸法及び幾何学的形状の開口部が多ければ多いほど、真空を破る必要なく行うことができるビームアパーチュアの交換がそれだけ一層多くなる。
【００３２】
本発明は又、荷電粒子ビームを試料上に集束させる荷電粒子ビーム装置であって、請求項１〜３３のうちいずれか一に記載のビーム光学コンポーネントを有する荷電粒子ビーム装置に関する。荷電粒子ビーム装置を用いると、電子ビーム、イオンビーム又は任意他の荷電粒子ビームを集束させることができる。これは、例えば、電子顕微鏡、電子又はイオンビーム検査又はパターン生成ツール、又は集束イオンビーム装置（ＦＩＢ）であるのがよい。
【００３３】
第１の好ましい実施形態では、ビーム光学コンポーネントは、荷電粒子ビームを試料上に集束させる対物レンズとして使用できる。第１及び（又は）第２の駆動手段を用いると、試料を画像化しながら対物レンズを荷電粒子ビームに正確に位置合わせすることができ、それにより位置合せを容易且つ高精度にする。
【００３４】
第２の好ましい実施形態では、ビーム光学コンポーネントは、荷電粒子ビーム装置の対物レンズと、荷電粒子ビーム装置の荷電粒子ビーム源との間に位置決めされる。この場合、ビーム光学コンポーネントは、荷電粒子ビーム装置のビーム電流及び空間分解能を定めるビームアパーチュア及び（又は）コンデンサーとして使用できる。さらに、ビーム光学コンポーネントはコンデンサーとして用いられる場合、コンデンサーは、荷電粒子ビーム源の一部であることが好ましい。
【００３５】
別の好ましい実施形態では、第１又は第２の駆動手段は、第１、第２及び第３の電極のうちの少なくとも２つに剛結される。この場合、駆動手段のうちの一方だけを用いて少なくとも２つの電極の開口部を共通の対称軸線（ビーム軸線）に位置合わせするのがよい。  本発明は又、請求項３８記載の方法に関する。この方法では、ビーム光学コンポーネントを現場で位置合わせすると共に調節して所与の用途に関し、荷電粒子ビームのフォーカスを最適化することが可能である。さらに、第１、第２及び第３の要素のうちの少なくとも１つがビームアパーチュアとして作用するよう位置決めされると共に形作られる場合、ビームアパーチュアを現場で位置合わせして荷電粒子ビームの開口角を最適化することができる。
【００３６】
本発明の上述の指示した特徴及び別の詳細な特徴のうちの幾つかは、以下の説明に記載されると共に図面を参照して部分的に説明される。
【発明を実施するための最良の形態】
【００３７】
本発明のビーム光学コンポーネントは、荷電粒子ビームを集束させる荷電粒子レンズを含む。かかるビーム光学コンポーネントは、試料をプローブで調べる荷電粒子ビーム顕微鏡、例えば、走査型電子顕微鏡（ＳＥＭ）、透過型電子顕微鏡（ＴＥＭ）、走査透過型顕微鏡（ＳＴＥＭ）のような荷電粒子ビーム装置又は荷電粒子ビームを用いて試料等を構造観察する装置、例えば、リソグラフィーマスクを構造観察する電子ビームパターン生成器に用いられる場合がある。さらに、ビーム光学部品は、試料をスライスし、粉砕し又は検査する集束イオンビーム装置（ＦＩＢ）にも利用できる。
【００３８】
ビーム光学コンポーネントの荷電粒子レンズが磁気レンズである場合、第１及び（又は第２の要素は好ましくは、第１及び（又は）第２の開口部をそれぞれ備えた第１及び（又は）第２の磁極片である。ビーム光学コンポーネントの荷電粒子レンズが静電レンズである場合、第１、第２及び（又は）第３の要素は好ましくは、第１、第２及び（又は）第３の開口部をそれぞれ備えた第１、第２及び（又は）第３の電極である。
【００３９】
本発明は主として、第１、第２及び（又は）第３の駆動手段に用いられる駆動手段がどのような種類であるかどうかは無関係である。一般に、駆動手段の選択は、荷電粒子ビーム装置の所望の空間分解能、荷電粒子ビームエネルギー、ビーム電流、試料のサイズ及び他のパラメータで決まる。これらパラメータは、駆動手段が適合しなければならない所要の位置合わせ精度、所要の真空能力、荷電粒子ビーム等との許容電磁干渉を定める。
【００４０】
代表的には、本発明の駆動手段は、荷電粒子ビームの操作が行われる場としての真空を破ることなく、位置合わせを実施することができるようにするために遠隔制御可能である。このようにすると、位置合わせを現場で、即ち、ビーム操作中に実施することができる。これにより、位置合わせを各位置合わせ位置について得られる試料の像に基づいて繰り返し実施することが可能になる。このようにすると、１マイクロメートルよりも良好な、好ましくは１００ｎｍよりも良好な精度で第１、第２及び（又は）第３の開口部の互いに対する位置合わせが可能である。かかる位置合わせは一般的には、荷電粒子レンズの製作中に実施される位置合わせよりも精度が高い。
【００４１】
さらに、代表的には、第１及び（又は）第２の駆動手段は、それぞれの第１、第２及び（又は）第３の要素のうちの少なくとも１つで剛結される。このようにすると、駆動手段は、それぞれの開口部の空間位置を完全に特定する。
【００４２】
さらに、代表的には、駆動手段は、電気的に制御可能である。この場合、駆動手段は、ステッピングモータ、圧電駆動装置、ＤＣモータ又は他の手段であってよい。マイクロメートルレベルよりも短い集束スポットサイズを必要とする用途に関し、駆動手段は、サブミクロン範囲、好ましくは、１００ｎｍ未満、より好ましくは２０ｎｍ未満の空間分解能で電極及び（又は）磁極片を互いに対して動かすことができることが好ましい。
【００４３】
一般に、非常に高い位置合わせ精度を得るためには、圧電駆動装置が、第１、第２及び（又は）第３の開口部を互いに対して位置合わせする好ましい手段である。代表的には、３つの軸線（ｘ−ｙ−ｚ軸）の各々について２０ｎｍ未満の位置決め精度をもたらすことができ、最高２０ｍｍ以上までの移動距離をもたらすことができ、超高真空適合性があり、荷電粒子ビームに対する磁気干渉を５００ナノテスラ未満の維持する市販の圧電駆動装置が採用される。かかる圧電駆動装置を真空チャンバ内のそれぞれの電極又は磁極片に直接取り付けるのがよい。
【００４４】
優れた空間分解能を得るためには、圧電駆動装置は、第２及び（又は）第３の開口部に対するそれぞれの第１及び（又は）第２の開口部の実際の位置を測定するエンコーダを有するのがよい。すると、測定した場所に関する情報が、それぞれの駆動手段に送られて実際の位置を所望の場所に調節する。さらに好ましくは、駆動手段及び測定手段、例えば、ＤＣモータ及びエンコーダ又は圧電駆動装置及びエンコーダは、一ユニット内に収納される。
【００４５】
以下の図は、本発明の幾つかの実施形態を開示している。これら図は、非限定的な例を示しているに過ぎない。しかしながら、当業者であれば、これら実施形態の特徴を種々の仕方で組み合わせることは、本発明の範囲に十分に含まれることは明らかであろう。
【００４６】
図１ａ及び図１ｂは、２つの互いに異なる位置合わせ状態にある静電型荷電粒子レンズ１を有する本発明のビーム光学コンポーネントを示している。荷電粒子レンズ１は、荷電粒子ビーム３を試料又は試験片１７上に集束させるために第１の開口部７を備えた第１の電極５及び第２の開口部１１を備えた第２の電極９を有している。図１ａ及び図１ｂの荷電粒子レンズ１は、荷電粒子ビーム３を試料１７上に集束させる対物レンズとして役立つ。
【００４７】
図１ａ及び図１ｂの設計では、試料ホルダ１９に接続された試料電圧Ｖ０、第１の電極５に接続された第１の電圧Ｖ１及び第２の電極９に接続された第２の電圧Ｖ２並びに第１及び第２の開口部７，１１の形状及び位置は、荷電粒子ビーム３を集束させる電場の形状を定める。図１ａ及び図１ｂでは、第１の開口部７及び第２の開口部１１は、高い回転対称性の集束電場をもたらすために円形である。高い回転対称性の場は通常、最も小さな集束スポットサイズをもたらす。第１の電圧Ｖ１及び第２の電圧Ｖ２の値並びに試料電圧Ｖ０の値は、用途に強く依存している。しかしながら、当業者であれば、所与の用途についてどのような値を選択すべきかを知っている。
【００４８】
図１ａでは、第１の開口部７は、第２の開口部１１に対して位置合わせされておらず、即ち、第１の開口部７の第１の中心軸線４７は、第２の開口部１１の第２の中心軸線４８と整列していない。この場合、対称軸線１５に関する静電型集束レンズ１の回転対称性には狂いが生じている。したがって、荷電粒子ビーム３は、第１の開口部７及び第２の開口部１１を通過する間に歪んだ状態になり、その結果、試料１７上への荷電粒子ビーム３のフォーカススポットサイズ４は、増大して軸外れとなる。かかる位置合わせ不良により、かかる荷電粒子レンズ１を用いる荷電粒子ビーム装置の空間分解能が劣化する。
【００４９】
位置合わせ不良を是正するため、第１の駆動手段１３は、図１ｂに示すように、第１の開口部７が第２の開口部１１に対して位置合わせされるまで第１の電極５を第２の電極９に対して側方に移動させる。図１ｂでは、第１の開口部７及び第２の開口部１１、即ち、第１の中心軸線４７及び第２の中心軸線４８は、共通の対称軸線１５と整列している。さらに、共通対称軸線１５は、荷電粒子ビーム３の軸線と整列している。この場合、集束電場は、荷電粒子ビーム３に関して回転対称であり、これにより、軸上に位置し、試料上のフォーカススポットサイズ４が最小のフォーカスが得られる。
【００５０】
図１ａ及び図１ｂでは、駆動手段１３は、第１の電極をビーム方向（ｚ方向）に対して側方のｘ方向に動かすことができるｘ駆動装置１３ｘ及び第１の電極をビーム方向に対して側方の且つｘ方向に垂直なｙ方向に動かすことができるｙ駆動装置１３ｙを含む。これら２つの駆動装置の独立運動により、第１の電極５を２つの駆動装置のそれぞれの最大運動範囲内で任意の側方の方向に動かすことができる。図１ｂで分かるように、第１の開口部７及び第２の開口部１１の位置合わせ不良を是正するために、第１の電極５は、右側にシフトされている。
【００５１】
図１ａ及び図１ｂでは、第１の駆動手段１３は、第１の電極５及び第２の電極９に剛結されている。しかしながら、当業者には明らかなように、２つの電極５，９の位置合わせを第１の駆動手段１３が第１の電極５に連結されていて第２の電極９には連結されていない場合でも達成できる。この場合、第１の駆動手段１３は、一方の側が第１の電極５に連結され、他方の側が、例えばビームコラム又は試料ホルダ９に対して固定された他の或る構造体に連結される。
【００５２】
図１ａ及び図１ｂの駆動手段１３が真空内でガスを放出する傾向がある材料で作られている場合、通常荷電粒子ビームを操作するのに必要な高品質真空を維持することは困難である。この場合、駆動手段とそれぞれの電極又は磁極片との間に可撓性真空壁を設けることが好ましい。可撓性真空壁を用いた場合、駆動手段を通常の大気環境内で動作させることができる一方で、それぞれの要素（即ち、電極又は磁極片）を真空内で動作させることができる。この場合、第２の開口部に対する第１の開口部の位置合わせは、駆動手段が可撓性真空壁を移動させ、それによりそれぞれの電極又は磁極片を移動させることによって実施できる。多くの場合、可撓性真空壁は、鋼又は他の真空適合性のある材料で作られたベローとして具体化される。当業者であれば、真空チャンバ内の電極又は磁極片を真空の外部に設置された駆動手段によって位置合わせするシステムのセットアップの仕方を知っている。
【００５３】
図２ａ及び図２ｂは、本発明のビーム光学コンポーネントが磁気型荷電粒子レンズ１０００を示す一例を示している。静電型荷電粒子レンズ１の場合と同様、図２ａ及び図２ｂの磁気型荷電粒子レンズ１０００は、荷電粒子ビーム３を試料１７上に集束させる対物レンズとして役立つ。荷電粒子レンズ１０００は、対称軸線１５に関して回転対称であるコイル２３を含む。コイル２３は、ヨーク２１によって包囲され、このヨークは、第１の要素１００５（「第１の磁極片」）と第２の要素１００９（「第２の磁極片」）との間で荷電粒子ビーム３の付近に強い回転対称性の磁場をもたらすよう磁束を集中させる。磁束が第１の磁極片１００５に到達するようにするためには、磁場は、ヨーク２１と第１の磁極片１００５との間の空隙２２を横切らなければならないに注目されたい。空隙２２は、対称軸線１５に対して側方のあらゆる方向における第２の磁極片１００９に対する第１の磁極片１００５の運動を可能にする。当然のことながら、空隙２２は、磁束の損失を最小限に抑えるためにできるだけ小さいことが好ましい。それどころか、空隙２２は、第１の磁極片１００５がヨーク２１の下で自由に摺動できるように保たれていることを条件として、空隙距離が全く無くてもよい。
【００５４】
図２ａ及び図２ｂの第１の駆動手段１３は、図１ａ及び図１ｂに記載したものと同一であってよい。これら駆動手段は、第１の磁極片１００５の第１の開口部７を第２の磁極片１００９の第２の開口部１１に対して位置合わせするのに役立つ。図１ａ及び図１ｂの場合と同様、第１の駆動手段１３は、第１の磁極片１００５が第２の磁極片１００９に対してｘ方向及びｙ方向において自由に側方に運動することができるようにｘ駆動装置１３ｘ及びｙ駆動装置１３ｙを有するのがよい。
【００５５】
図２ａは、第１の磁極片１００５の開口部７が第２の磁極片１００９の開口部１１に対して位置合わせ不良状態にある状況で磁気集束レンズ１０００を示している。この場合、荷電粒子ビーム３を可能な限り最も小さいフォーカススポットサイズ４に集束させることができない。図２ｂは、第１の駆動手段１３が第１の磁極片１００５を、第１の開口部７が第２の磁極片１００９に対して位置合わせされた位置に移動させた後の同じ磁気集束レンズ１０００を示している。したがって、第１の駆動手段１３を用いると、例えば製作上の許容誤差に起因する磁極片開口部の位置合わせ不良を補償することが可能である。
【００５６】
図３は、本発明の第３の実施形態を示している。図３は、静電型荷電粒子レンズ１を有するビーム光学コンポーネントを示しており、この静電型荷電粒子レンズは、各々が第１、第２及び第３の開口部７，１１，２７をそれぞれ備えた第１、第２及び第３の電極５，９，２５を有している。第１の電極５は、第３の電圧Ｖ３に接続され、第２の電極９は、第２の電圧Ｖ２に接続され、第３の電極２５は、第１の電圧Ｖ１に接続されている。多くの用途に関し、外側の２つの電極、即ち、第１の電極５及び第３の電極２５は、同一電圧で動作される。この場合、レンズ内の静電場は、荷電粒子レンズ１の周りの領域をほとんど妨害しない。この場合、荷電粒子レンズ１は、「アインゼルレンズ（Einzel-lens）として動作する。第１の電圧Ｖ１と第３の電圧Ｖ３が同一でない場合、荷電粒子レンズ１は通常、浸漬レンズ（immersion-lens）と呼ばれる。
【００５７】
図３の例では、第１の駆動手段１３は、第１の電極５の第１の開口部７を第２の開口部１１及び第３の開口部２７に位置合わせするために用いられる。図１ａ及び図１ｂとは異なり、駆動手段１３の一方の側は、第１の電極５に連結され、駆動手段１３の他方の側は、好ましくは或る構造体、例えば、ビームコラムに固定された第１のベースプレート３６に連結されている。
【００５８】
第１の駆動手段１３は、図１ａ及び図１ｂ又は図２ａ及び図２ｂに示す駆動手段とほぼ同じであるのがよく、相違点は、この場合、第１の駆動手段１３が第１の電極５を２つ又は３つの互いに異なる位置でｚ方向に、即ち、ビーム方向（図９参照）に移動させる２つ又は３つのｚ駆動装置１３ｚを有していることにある。３つのｚ駆動装置を互いに独立して動作させることができるので、対称軸線１５に対する第１の開口部７の中心軸線４７（図示せず）の向きを変化させることが可能である。このようにすると、ｘ駆動装置１３ｘ及びｙ駆動装置１３ｙによるｘ−ｙ平面内における側方位置合わせに加えて、第１の電極５を第２の電極９及び（又は）第３の電極２５に対して完全に平行になるように位置合わせすることができる。
【００５９】
図３の荷電粒子レンズ１は、第１の開口部７の実際の存在場所を測定する第１の測定手段３０を更に有する。好ましくは、測定手段３０は、ｘ方向内の存在場所を測定するｘセンサ３０ｘ、ｙ方向内の存在場所を測定するｙセンサ３０ｙ、及びｚ方向内の存在場所を測定するｚセンサ３０ｚを有する。測定された値をケーブル３８ａ経由でｘ−ｙ−ｚエンコーダに差し向け、このエンコーダは、測定値を位置に変え、ここからケーブル３８ｂ経由でｘ−ｙ−ｚコントローラ３４に送り、このコントローラは、測定された存在場所と所望の存在場所を比較する。ｘ−ｙ−ｚコントローラ３４が測定された存在場所と所望の存在場所との差を求める場合、このコントローラは、ケーブル３８ｃ経由で指令をｘ駆動装置１３ｘ、ｙ駆動装置１３ｙ及び（又は）ｚ駆動装置１３ｚに送って第１の電極５をその差を無くすような仕方で動かす。第１の測定手段３０、ケーブル３８ａ，３８ｂ，３８ｃ、ｘ−ｙ−ｚエンコーダ３２及びｘ−ｙ−ｚコントローラは、位置合わせ精度を劇的に向上させるのに役立つフィードバックシステムを表しており、位置合わせ精度は、駆動手段又は測定手段のタイプに応じて、５００ｎｍよりも良好であるほど良好であるのがよい。
【００６０】
図３では、第１の電極５だけが、駆動手段によって移動可能である。これとは対照的に、第２の電極９及び第３の電極２５は、少なくとも３つのディスタンス（間隔保持）ピース４０によって互いに対して位置合わせされる。ディスタンスピース４０は、ほぼ完全に丸形の絶縁性球体であり、これら球体は、完全な球体から約１又は２マイクロメートルの最大偏差を有するのがよい。電極の位置合わせのためのかかる球体の使用方法は、例えば、エス・プランク（S. Planck）及びアール・スペア（R. Spehr）の論文，『コンストラクション・アンド・ファブリケーション・オブ・エレクトロスタティック・フィールド・レンジズ・フォー・ザ・スマート・プロジェクト（Construction and Fabrication of electrostatic field lenses for the SMART project）』，「“リッヒト−・ウント・テイルシェノプティク”・インスティト・フューア・アンゲバンドテ・フィジクス，テクニーシェ・ウンベルシタット・ダルムシュタット，プロフェッソァ・ドクトル・テオ・チューディ（“Licht- und Teilchenoptik”，Institut fur angewandte physik, Technische Universitat Darmstadt, Prof. Dr. Theo Tschudi）」の年報１９９６／１９９７，第１１４頁に記載されており、この非特許文献を参照により引用し、その記載内容を本明細書の一部とする。
【００６１】
球体の非常に高い精度に起因して、第２の開口部１１を第３の開口部１７に対して代表的には１マイクロメートルの精度で位置合わせすることが可能である。しかしながら、エス・プランク及びアール・スペアの設計では、隣り合う電極の位置合わせは、２つの電極を互いに保持するねじが電極に及ぼす圧力に起因する電極の変形によって妨げられる場合が多い。
【００６２】
したがって、図３及び図５〜図７の設計において、電極９及び第３の電極２５を図示のように、そして図９ａ〜図９ｃに関する説明において詳細に説明するように切欠き付きピン５７及びばね５３によって球形ディスタンスピース４０に締結することが本発明の別の特徴である。
【００６３】
３つの電極５，９，２５のうちの１つ又は２つの電極についてのみ駆動手段を用いることにより、全ての電極が駆動手段に連結されている設計と比較して、セットアップがかなり単純化される。さらに、多くの用途の場合、３つの電極のうち１つ又は２つだけを位置合わせすれば十分である。というのは、位置合わせがレンズ性能にとって特に重要であるのは１つ又は２つの電極だけである場合が多いからである。例えば、一般的に言って、電極の開口部半径が小さければ小さいほどそれだけ一層集束性能に関するその位置合わせの重要度が高くなる。したがって、アインゼルレンズに関し、中間の電極は通常最も大きな開口部を有するので、駆動手段は、外側の電極を動かす場合にのみ良好な集束に寄与する場合が多い。さらに、外側電極のうち一方が荷電粒子ビーム装置のためのビームアパーチュアとして用いられる場合、集束品質にとって重要なのは、主として、その電極の開口部の空間精度である場合が多い。したがって、１つの電極についてのみ駆動手段を用いることにより、達成可能な集束品質とビーム光学コンポーネントの複雑さとの間に最良のバランスが取れることが分かる。
【００６４】
図４は、本発明の第４の実施形態を開示している。図４のビーム光学コンポーネントの荷電粒子レンズ１は、図３の荷電粒子レンズとほぼ同じであり、相違点は、この荷電粒子レンズが第２の開口部１１を第３の電極２５の第３の開口部２７に対して位置合わせするための第２の駆動手段４２を有していることにある。図４では、第２の電極９が第１の電圧Ｖ１に接続され、第３の電極２５が第２の電圧Ｖ２に接続され、第１の電極５が第３の電圧Ｖ３に接続されていることに注目されたい。さらに、第２の駆動手段４２は、一方の側が第２の電極９に連結され、他方の側が第２のベースプレート４６に連結され、この第２のベースプレートの位置は、対称軸線１５に対して固定されている。第１の駆動手段１３及び第２の駆動手段４２を用いることにより、第１の開口部７及び第２の開口部１１を別個独立に対称軸線１５に位置合わせすることができる。これにより、第１及び第２の開口部７，１１を通常は対称軸線１５と一致したビーム軸線３に別個独立に位置合わせすることが可能になる。図４の外側の電極、即ち、第１の電極５及び第２の電極９は、最も小さな開口部を有しているので、これら２つを特に良好に位置合わせすることが必要である。一般的に言って、アインゼルレンズの場合、外側の電極は、レンズの静電場の良好な遮蔽を得るためには中央の電極よりも小さな開口部を有する傾向がある。例えば、開口部の直径が１ミリメートルの場合、位置合わせ誤差を集束にとって関係が無いようにするためには、典型的には１マイクロメートルよりも良好な位置合わせ精度が必要である。第１の駆動手段１３と第２の駆動手段４２の両方は、第１及び第２の駆動手段の空間分解能を向上させるためのフィードバックループ（第２の駆動手段４２については図示せず）を提供するために第１の測定手段３０及び第２の測定手段４３をそれぞれ備えていることに注目されたい。
【００６５】
図５は、本発明の第５の実施形態を開示している。図５では、ビーム光学コンポーネントは、図３に示すような形式の静電型荷電粒子レンズ１及び荷電粒子ビーム源６２を有している。図５の荷電粒子ビーム源６２は、エミッタ６１及びエミッタ６１からの電圧Ｖextを真空中へ抽出して荷電粒子ビーム３を形成する手段により荷電粒子を抽出する抽出電極６０を含む。図５のビーム光学コンポーネントは、荷電粒子ビームを集束させることができる装置のコンパクトな設計を表している。
【００６６】
図５では、第１の電極５は、第１の開口部７がビームアパーチュア５０として役立つようにするために荷電粒子ビーム源６２に対して形作られると共に位置決めされていることに注目されたい。したがって、この開口部の壁のところでの荷電粒子ビーム３の散乱を最小限に抑えるためには、ビームアパーチュア５０は、開口部７のサイズを定めるナイフ状縁部を備えていることを特徴としている。第１の電極５がレンズとして且つアパーチュアとして働く場合、互いに対して位置合わせする必要のあるビーム光学要素の数を減少させることができる。この場合、第１の駆動手段１３は、集束レンズ位置及びビームアパーチュア５０を同時に荷電粒子ビーム源６２に位置合わせするのに役立つ。
【００６７】
また、図５では、ライナ用管５２が、対称軸線１５に対して同軸状に位置合わせされていることに注目されたい。ライナ用管５２は、ビーム光学コンポーネントの一部であってもよく、そうでなくてもよい。ライナ管５２は、ライナ管５２を通って試料に向かってドリフトしながら荷電粒子ビーム３にとってライナ管内にゼロ（無）電界領域を生じさせるためにライナ管電圧（図示せず）の状態に保たれる導電性管である。ライナ管５２は、荷電粒子ビーム３を、通常は荷電粒子ビーム装置の一部である全ての種類の電子部品に起因して生じる電気的ディストーション（ゆがみ）から保護し、かかるディストーションとしては、駆動手段１３及び測定手段３０により生じるディストーションが挙げられる。
【００６８】
第１の電極５の第１の開口部７を第２の電極９の第２の開口部１１に対して位置合わせする方法は好ましくは、以下のステップによって実施される。
【００６９】
（ａ）検査されるべき又は荷電粒子ビーム３によって構造観察され又は検査されるべき試料を用意するステップ。
（ｂ）第１の組をなす電圧を第１の要素５及び第２の要素９に印加した状態で、荷電粒子ビーム３を試料１７全体にわたって走査して試料１７の第１の像を生じさせるステップ。好ましくは、第１の像は、荷電粒子ビーム３を試料の第１の領域全体にわって走査し、荷電粒子ビームと試料との任意の走査位置における相互作用に起因して試料上に発生する粒子を検出することによって生成される。
（ｃ）第２の組をなす電圧を第１の要素５及び第２の要素９に印加した状態で、荷電粒子ビーム３を試料１７全体にわたって走査して試料１７の第２の像を生成するステップ。好ましくは、荷電粒子ビーム装置の動作パラメータは、第１の組をなす電圧及び第２の組をなす電圧を除き、第１の画像化及び第２の画像化について同一である。好ましくは、第１の組をなす電圧と第２の組をなす電圧は、１つの電極についてのみ異なる。静電型集束レンズ１が少なくとも３つの電極を含む場合、第１の組をなす電圧と第２の組をなす電圧は、中間の電極、即ち、第２の電圧Ｖ２に接続された電極の電圧だけ異なっているに過ぎないことが好ましい。これは、第２の電圧Ｖ２の変化が外側の２つの電極の第１の電圧Ｖ１及び第３の電圧Ｖ３と比較して、静電型集束レンズ１の外部の静電場に与える影響が最小限であるからである。
（ｄ）第１の電極５を第２の電極９に対して運動させるステップ。この運動により、第２の開口部１１に対する第１の開口部７の位置合わせが変化する。この運動は好ましくは、第１の駆動手段１３によって実施される。
（ｅ）第１の像中に識別された試料の少なくとも１つの構造要素が第２の像中に識別されるのでステップｄ）、ステップｅ）、ステップｆ）を繰り返すステップ。このステップは、第１の電極５の運動が多ければ、第１の開口部７と第２の開口部１１の位置合わせの具合が向上し、又、第１の像中に識別されるより多くの試験構造要素が第２の像中に識別できるという認識に基づいている。完全な位置合わせは、第１の像が空間分解能を除き、第２の像と同一である場合に相当している。他方、第１の電極５の運動が第１の開口部７と第２の開口部１１の位置合わせを悪化させる場合、第１の像中に識別され、そして第２の像中に識別できる試料構造要素が少なくなる。これは、通常、位置合わせ不良が大きければ大きいほど、第１の画像化中に走査される領域が第２の画像化中に走査される領域から一層大きく逸脱するからである。
【００７０】
好ましくは、荷電粒子ビーム３は、荷電粒子ビーム源６２をオンに切り換えることにより、例えば、電圧部位をエミッタ６１と抽出電極６０との間に印加することにより生じる（Ｖ＝Ｖext−Ｖemit）。荷電粒子ビーム源６２が熱電子ビーム銃、熱電界エミッターカソード、液体金属イオン源又は当該技術分野において知られている任意他の電子又はイオンビーム源である場合、荷電粒子ビーム３の生成は、それに従って進む。
【００７１】
３つの電極５，９，２５を備えた荷電粒子レンズ１を有するビーム光学コンポーネントを備えた荷電粒子ビーム装置を作動させる場合、外側の２つの電極に接続された第１の電圧Ｖ１と第３の電圧Ｖ３は、同一の値を持つことが好ましい（Ｖ１＝Ｖ３）。このようにすると、集束静電場と、静電型集束レンズ１の領域（「アインゼンルレンズ」）の外部に位置する加速又は偏向場の静電干渉が最小限に抑えられる。この場合、静電型集束レンズ１の性能の集束長さは本質的に、第１の電圧Ｖ１及び第３の電圧Ｖ３に対する第２の電圧Ｖ２、即ち、中間電極の電圧によって制御される。さらに、ライナ用管電圧が第３の電圧Ｖ３に等しく、この第３の電圧がライナ用管５２の最も近くに位置する電極の電圧であることが好ましい。このようにすると、ライナ用管５２と第３の電圧Ｖ３により定められる集束場の静電干渉が、最小限に抑えられる。
【００７２】
図６は、本発明の第６の実施形態を開示している。図６では、ビーム光学コンポーネントは、図５の場合と同様、図３に示すような形式の静電型荷電粒子レンズ１及び荷電粒子ビーム源６２を有している。しかしながら、図５の設計とは異なり、荷電粒子レンズ１の第３の電極２５は、抽出電極としても集束連続１の第３のレンズとしても役立つようにするために、エミッタ６１の近くに位置決めされていて、抽出電圧Ｖextに接続されている。これにより、互いに対して位置合わせする必要のある要素の数が一段と減少する。したがって、図６の設計は、ビーム光学部品の要素の位置合わせ不良に起因するビームの光学的ディストーションを最小限に抑えるのに役立つコンパクトなビーム光学コンポーネントを提供する。
【００７３】
図７ａ及び図７ｂは、本発明の第７及び第８の実施形態を開示している。両方の実施形態は、図３の設計とほぼ同じであるが、多数の開口部７ａ，７ｂ，７ｃを備えた第１の電極５を有する荷電粒子レンズ１を開示している。かくして、第１の駆動手段１３が第１の電極５をｘ方向に移動させる場合、ビームの操作中、第１の電極５のアクティブな開口部に代えて他の開口部７ａ，７ｂ，７ｃのうちの１つを用いることが可能である。「アクティブな」という用語は、荷電粒子ビーム３と一線をなすよう動かされた開口部を意味する。この置き換えは、第１の電極５のアクティブな開口部５を動かしてアクティブな位置から外すと共に電極の他の開口部７ａ，７ｂ，７ｃのうちの１つをアクティブな位置に動かすまで第１の電極５を他の電極に対して動かすことによって実施される。
【００７４】
例えば、図７ａでは、第１の電極５を左側へｘ方向に動かすことにより、荷電粒子ビームの操作中、第１の開口部７ａを動かしてアクティブな位置から離脱させ、第２の開口部７ｂをアクティブな位置に動かすことが可能である。このようにすると、例えば、大きなサイズ及び厚いリム８ａに備えた開口部７ａを小さな開口部及び薄い厚さのリム８ｂを有する開口部７ｂで置き換えることにより、真空を破る必要なく、荷電粒子レンズ１の光学的性質を改変することが可能である。例えば、用途に応じて、大きな開口部７ａから小さな開口部７ｂに変えることにより、集束長さを変化させると共に（或いは）ビーム収差を減少させることができる。さらに、厚いリム８ａを有する開口部７ａから薄いリム８ｂを有する開口部７ｂに変えることにより、荷電粒子レンズ１の主平面を効果的に変え、それにより、ビーム光学系の倍率を変化させることができる。このようにすると、ズーム光学系を実現できる。好ましくは、アクティブな開口部７ａ，７ｂ，７ｃを多数の開口部のうちの別のもので置き換えることにより、リム厚さ８ａ，８ｂ，８ｃを２倍以上、好ましくは、４倍以上、更に好ましくは１０倍以上変化させることができる。
【００７５】
図７ｂは、図７ａの場合のように多数の開口部７ａ，７ｂ，７ｃを備えた可動第１電極５を有する別の荷電粒子レンズ１を開示している。しかしながら、図７ｂでは、第１電極５は、開口部７ｂから開口部１１までの軸方向距離が開口部７ｃ又は開口部７ａから第２の電極９の開口部１１までの軸方向距離よりも短いものであるように軸方向に延びる要素構造体５ａを有している。このようにすると、開口部７ｂを側方に動かしてアクティブな位置から離脱させ、開口部７ｃをアクティブな位置に側方に動かすことにより、開口部７ｂの薄いリム厚さ８ｂが開口部７ｃの厚いリム厚さ８ｃで置き換えられるだけでなく、第１の電極及び第２の電極９のそれぞれのアクティブな開口部相互間の距離が変えられ、例えば、第１の電極５を第２の電極に対し共通対称軸線１５まで側方に動かすことにより、ｚ駆動手段１３ｚを用いる必要なく、隣り合う電極のアクティブな開口部相互間の距離を変化させることが可能である。好ましくは、このようにして、アクティブな開口部相互間の距離を１０％以上、好ましくは５０％以上、更に好ましくは１００％以上変化させることができる。
【００７６】
図７ａ及び図７ｂの第１の電極５の形状は、多数の開口部７ａ，７ｂ，７ｃを備えた第１及び（又は）第２の電極をより融通性の高いビーム光学系を提供するために形作ることができる他の多くの方法の単なる例示に過ぎない。一般的に言って、第１及び（又は）第２の電極は、リム厚さ、開口部サイズ及び（又は）隣り合う開口部相互間の距離の「現場」置き換えを容易にする多数の開口部を有するのがよい。電極を有する互いに異なる幾何学的形状の多数の開口部が多ければ多いほど、種々の用途について所望のビーム光学的性能に合わせてビーム光学コンポーネントが働く上での融通性がそれだけ一層高くなる。特に、ビーム光学コンポーネントの２つ以上の電極が互いに異なる幾何学的形状の多数の開口部を有している場合、考えられる開口部の組合せの数が急増する。この場合、当業者は、電極の多数の開口部がどれぐらい多くの種類の開口部を有するべきであるか及びこれら開口部が所望の性能を満たすためにどのような形状に及びどのような材料で作られるべきであるかを知っているであろう。
【００７７】
さらに、多数の開口部７ａ，７ｂ，７ｃを備えた電極５がビームアパーチュアを構成するよう位置決めされる場合、電極５の多数の開口部を用いると、ビーム強度及び空間分解能を決定することができる。例えば、大きな開口部７ａを荷電粒子ビーム３中へ移動させることにより、荷電粒子ビームの強度は高いが、スポットが大きくなる。これとは逆に小さな開口部７ｂを荷電粒子ビーム３中へ移動させることにより、荷電粒子ビームの強度は低いが、スポットを小さくすることができる。したがって、駆動手段及び多数の開口部を有する電極を用いることにより、ビーム光学コンポーネントは、荷電粒子ビーム装置を多種多様な応用分野について使用可能にする融通性を提供することができる。
【００７８】
さらに、電極５の多数の開口部のうち少なくとも２つ７ａ，７ｂが同一の寸法を有している場合、駆動手段１３による同一サイズの別の開口部によるアクティブな開口部の置き換えを行って、摩耗し又は損耗した開口部７ａ，７ｂに代えて新しい開口部７ａ，７ｂを用いることができる。ビームアパーチュアとして用いられる開口部は、荷電粒子ビームへの強烈な暴露に起因して摩耗又は損耗する傾向がある。例えば、電子ビーム装置では、電子ビームへの暴露により、開口部リムの汚染が生じる場合があり、この汚染により、開口部サイズが小さくなる場合がある。これとは対照的に、イオンビーム装置では、イオンビームへの暴露が原因となって、開口部リムから材料を取り去るイオンビームスパッタリング効果に起因して開口部サイズが増大する場合がある。両方の場合において、一開口部を同一サイズの新たな開口部で定期的に置き換えることにより、アパーチュア角度又は開口角が、より安定した状態を保つようになる。
【００７９】
図８ａ及び図８ｂは、本発明のビーム光学コンポーネントに使用できる２つの種類の電極５を示している。図８ａでは、電極５は、回転対称フォーカスをもたらす円形開口部７を有する。電極５の中心軸線４７は、開口部７の対称軸線により定められる。
【００８０】
これとは対照的に、図８ｂでは、電極５は、一寸法方向にのみスリット状フォーカスを提供する矩形開口部７を有している。図８ｂの電極５の中心軸線４７は、開口部７の中心によって定められる。
【００８１】
図９ａは、本発明の第９の実施形態を示している。この場合、荷電粒子レンズ１は、図３に示す荷電粒子レンズと同一であり、相違点は、（ａ）第１の駆動手段１３が第１の電極５をｚ方向ではなくｘ方向及びｙ方向に動かすことができ、（ｂ）第１の測定手段３０が、第１の電極５の位置をｚ方向ではなくｘ方向及びｙ方向に測定でき、（ｃ）第１及び第２の電極５，９に連結されていて、第２の電極７及び第３の電極２５に対する第１の電極５の平行度を調節する３つのｚ駆動装置１３ｚを有する第２の駆動手段４２が設けられていることにある。図９ｂは、一例として、第２の電極９及びその開口部１１に対する３つのｚ駆動装置１３ｚの考えられる位置を示している。３つのｚ駆動装置１３ｚを第１の電極５と第２の電極９との間の３つの互いに異なる場所に位置決めすることにより、第２の電極９に対する第１の電極５の向きを３つ全ての空間軸線に関して高い精度で定めることが可能である。このようにすると、高い平行度を得ることができる。
【００８２】
隣り合う電極の平行な位置合わせが得られるよう３つのｚ駆動装置１３ｚを３つの互いに異なる位置に設けることが有用であることに注目されたい。というのは、これにより、３軸位置合わせにより平行な向きを得ることができるからである。しかしながら、原理的には、たった２つのｚ駆動装置１３ｚを３軸位置合わせが得られるよう２つの互いに異なる位置で用いても可能であり、その条件としては、隣り合う電極相互間の距離を第３の距離で一定に保つディスタンス要素が設けられていることである。
【００８３】
図１０ａ〜図１０ｃは、駆動手段が用いられない場合に荷電粒子レンズ１の隣り合う電極５，９を高精度で互いに対して位置合わせできる方法を示している。この位置合わせについては、図３及び図５〜図７の球形ディスタンスピース４０を参照して既に言及した。
【００８４】
図１０ａ〜図１０ｃは、２つの切欠き付きピン５７、即ち、切欠き５５が刻み付けられたピンを有する球形のディスタンスピース４０の互いに異なる図である。切欠き付きピン５７は、例えば膠着又はろう付けにより球形ディスタンスピース４０に取り付けられている。図１０ａ〜図１０ｃから理解できるように、切欠き付きピン５７は、ばね５３を第３の電極２５によりばね５３に及ぼされる圧力下で切欠き５７内へ挿入することにより第３の電極２５を球形ディスタンスピース４０に当接させるために用いられる。このようにすると、第３の電極２５は、本質的にはばねの種類により与えられる圧力で球形ディスタンスピース４０上に押し下げられる。図１０ｃは、上から見た場合のばね５３を備えた切欠き付きピン５７を詳細に示している。
【００８５】
同様に、荷電粒子レンズ１の第２の電極を、球体の反対側、即ち、他方の切欠き付きピン５７が締結されているところで、球形ディスタンスピース４０に当接させることが可能である。球体の高い幾何学的精度に起因して且つ少なくとも３つの球形ディスタンスピース４０を用いて２つの電極をそれぞれの球体に当接させることにより、２つの隣り合う電極を互いに膠着させる必要なく、２つの隣り合う電極を高精度で互いに位置合わせすることが可能である。隣り合う電極を位置合わせするための球体の用い方は、元々、エス・プランク（S. Planck）及びアール・スペア（R. Spehr）の論文，『コンストラクション・アンド・ファブリケーション・オブ・エレクトロスタティック・フィールド・レンジズ・フォー・ザ・スマート・プロジェクト（Construction and Fabrication of electrostatic field lenses for the SMART project）』，「“リッヒト−・ウント・テイルシェノプティク”・インスティト・フューア・アンゲバンドテ・フィジクス，テクニーシェ・ウンベルシタット・ダルムシュタット，プロフェッソァ・ドクトル・テオ・チューディ（“Licht- und Teilchenoptik”，Institut fur angewandte physik, Technische Universitat Darmstadt, Prof. Dr. Theo Tschudi）」の年報１９９６／１９９７，第１１４頁に記載されている。
【００８６】
２つの隣り合う電極を位置合わせする本発明の設計は、第１の電極５と第２の電極９との間の最小距離を得るために第１の開口部７を備えた第１の電極５、第２の開口部１１を備えた第２の電極９及び第１の電極５と少なくとも第２の電極９との間に位置決めされた少なくとも１つの球形ディスタンスピース４０に加えて、ビーム光学コンポーネントが、この球形ディスタンスピース４０に取り付けられたばね５３付きの第１のホールディング（保持）ピース、例えば切欠き付きピン５７を更に有する点において、エス・プランク及びアール・スペア論文の設計と比べて技術改良されている。第１のホールディングピース５３，５７が少なくとも１つのディスタンスピースに取り付けられた状態で、第１の電極５を球形ディスタンスピース４０の位置によって定められる機械的支持箇所で少なくとも１つの球形ディスタンスピース４０に対して保持することができる。したがって、第１のホールディングピース５３，５７により第１の電極５に及ぼされる圧力は、第１のホールディングピース５３，５７がその力を第１の電極５に及ぼす位置では、球形ディスタンスピース４０により相殺できる。これにより、第１の電極５に対する歪曲又は傾動力が無くなり、もし上述のように構成していない場合には、かかる力により、荷電粒子ビームの集束品質が劣化する。
【００８７】
球形ディスタンスピース４０は好ましくは、Ａｌ2Ｏ3で作られる。代表的には１マイクロメートルの幾何学的精度を備え、Ａｌ2Ｏ3のような材料で作られる球体の製作は、当該技術分野においては周知である。球体の直径は、極めて自由に選択できる。荷電粒子ビーム装置への用途の場合、球体の直径は代表的には、１ｍｍ〜１００ｍｍである。高エネルギービームにおける用途の場合、球体の直径は、かかる高エネルギーにより必要とされる電極相互間の高電圧に耐えるために、１００ｍｍを超えなければならない場合さえある。
【００８８】
図１０ａ〜図１０ｃに示すような種類の球形ディスタンスピース４０は又、（ａ）材料が絶縁性であり、（ｂ）材料を高い幾何学的精度を持つ球体の状態に形作ることができること、（ｃ）材料がホールディングピースにより球体に押し付けられる電極により及ぼされる圧力に耐えるのに十分硬いことを条件として、Ａｌ2Ｏ3以外の材料からも製作可能である。例えば、球形ディスタンスピース４０を絶縁セラミック、ガラス、サファイア等のような材料で作ってもよい。
【００８９】
図１０ａ〜図１０ｃの切欠き付きピン５７は、例えば、ステンレス鋼で作られ、又はピンを球形ディスタンスピース内へろう付けすることにより、チタン又はベーコン（vacon：登録商標）で作られる。しかしながら、他の導電性又は非導電性材料も同様に使用できる。図１０ａ〜図１０ｃでは、切欠き付きピン５７は、膠着により球形ディスタンスピース４０に取り付けられている。これを行うため、２つの穴が、球体の同一軸線に沿って、球形ディスタンスピース４０の互いに反対側の側部に設けられる。次に、幾分かのグルーをこれらの穴に充填した後、２つの切欠き付きピン５７を各々それぞれの穴の中に挿入する。
【００９０】
本明細書に開示したビーム光学コンポーネントは、電極又は磁極片のような要素に連結された駆動手段を用いてビーム光学コンポーネントの集束品質、ビーム電流制御及び空間分解能を向上させることができる多くの方法の１つを説明するための特定の非限定的な例であるに過ぎない。当業者であれば、他の所与のビーム集束用途に関する特定の要件を満たすために、本発明の種々の実施形態の組み合わせの仕方及びこれら実施形態の調節の仕方を知っている。これら組み合わせ及び調節された実施形態は、本発明の範囲に含まれる。
【図面の簡単な説明】
【００９１】
【図１ａ】第１及び第２の要素が電極である荷電粒子レンズを有する本発明の第１のビーム光学コンポーネントを示しており、電極の開口部が、位置合わせ不良状態にある図である。
【図１ｂ】第１及び第２の要素が電極である荷電粒子レンズを有する本発明の第１のビーム光学コンポーネントを示しており、電極の開口部が、位置合わせされている状態にある図である。
【図２ａ】第１及び第２の要素が磁極片である荷電粒子レンズを有する本発明の第１のビーム光学コンポーネントを示しており、磁極片の開口部が、位置合わせ不良状態にある図である。
【図２ｂ】第１及び第２の要素が磁極片である荷電粒子レンズを有する本発明の第１のビーム光学コンポーネントを示しており、磁極片の開口部が、位置合わせされている状態にある図である。
【図３】第１、第２及び第３の電極並びに第１の駆動手段を備えた荷電粒子レンズを有する本発明の第３のビーム光学コンポーネントを示す図である。
【図４】第１、第２及び第３の電極並びに第１及び第２の駆動手段を備えた荷電粒子レンズを有する本発明の第４のビーム光学コンポーネントを示す図である。
【図５】荷電粒子レンズ及び荷電粒子ビーム源を有する本発明の第５のビーム光学コンポーネントを示す図である。
【図６】荷電粒子レンズ及び荷電粒子ビーム源を有する本発明の第６のビーム光学コンポーネントを示す図であり、荷電粒子レンズの第３の電極が抽出電極として役立っている状態を示す図である。
【図７ａ】多数の開口部及び種々のリム厚さを備えた荷電粒子ビームを有する本発明の第７のビーム光学コンポーネントを示す図である。
【図７ｂ】交換可能なリム厚さ、交換可能な開口部寸法及び交換可能な開口部距離を提供するよう多数の開口部を備えた第１の電極を有する本発明の第８のビーム光学コンポーネントを示す図である。
【図８ａ】円形開口部を備えた荷電粒子レンズの第１の電極を示す図である。
【図８ｂ】矩形開口部を備えた荷電粒子レンズの第１の電極を示す図である。
【図９ａ】第１及び第２の電極に連結されていて、第２の電極に対する第１の電極の平行度を調節する３つのｚ駆動装置を備えた荷電粒子レンズを有する本発明の第９のビーム光学部品を示す図である。
【図９ｂ】上から見た場合の図９ａの第２の電極を示す図である。
【図１０】部分図ａ、ｂ、ｃにおいて、荷電粒子レンズの第１の要素を第２の要素に対して位置決めする要素を示す図である。
【図１ａ】
2007519191.tif 000003
【図１ｂ】
2007519191.tif 000004
【図２ａ】
2007519191.tif 000005
【図２ｂ】
2007519191.tif 000006
【図３】
2007519191.tif 000007
【図４】
2007519191.tif 000008
【図５】
2007519191.tif 000009
【図６】
2007519191.tif 000010
【図７ａ】
2007519191.tif 000011
【図７ｂ】
2007519191.tif 000012
【図８ａ】
2007519191.tif 000013
【図８ｂ】
2007519191.tif 000014
【図９ａ】
2007519191.tif 000015
【図９ｂ】
2007519191.tif 000016
【図１０ａ】
2007519191.tif 000017
【図１０ｂ】
2007519191.tif 000018
【図１０ｃ】
2007519191.tif 000019
【国際調査報告】
2007519191.tif 000020
2007519191.tif 000021
2007519191.tif 000022